(57)【要約】【課題】  蛍光管と近接導体との間に発生する浮遊容量と調光信号とによるノイズ音を抑制する直下式バックライト装置およびこの直下式バックライト装置を用いた液晶表示装置を提供する。【解決手段】  液晶パネル３の背面側に複数本の蛍光管９が配置され、所定周波数の調光信号により蛍光管９の輝度を調整するようにした直下式バックライト装置２において、蛍光管９と液晶パネル３の背面側の反射シート８ａとの間に、蛍光管９と反射シート８ａとの間に生じる振動を防止する振動防止部材３０を設けたことを特徴とするものとする。【選択図】  図２
2007034120.tif 000002
【特許請求の範囲】
【請求項１】
液晶パネルの背面側に複数本の蛍光管が配置され、所定周波数の調光信号により前記蛍光管の輝度を調整するようにした直下式バックライト装置において、
前記蛍光管と液晶パネルの背面側との間に、該蛍光管と液晶パネルの背面側との間に生じる振動を防止する振動防止部材を設けたことを特徴とする直下式バックライト装置。
【請求項２】
前記振動防止部材は、前記蛍光管の外周の一部と液晶パネルの背面側とに弾性的に当接する弾性素材で形成されていることを特徴とする請求項１に記載の直下式バックライト装置。
【請求項３】
前記振動防止部材は、透明な素材で構成されていることを特徴とする請求項１または２に記載の直下式バックライト装置。
【請求項４】
前記振動防止部材は、並設された蛍光管の配列方向で隣り合うそれぞれの蛍光管と液晶パネルの背面側との間に設けられた振動防止部材同士が、蛍光管長手方向の配置位置が異なるように設けられていることを特徴とする請求項１乃至３のうちの何れか一項に記載の直下式バックライト装置。
【請求項５】
前記直下式バックライト装置は、複数本の蛍光管を支持する蛍光管支持体を備え、前記蛍光管支持体によって液晶パネルの背面側に複数本の蛍光管を配置するように構成され、
前記蛍光管支持体は、並設される蛍光管の配列方向で隣り合う蛍光管支持体同士が、蛍光管長手方向の配置位置が異なるように設けられ、
前記蛍光管支持体に支持される蛍光管に設けられる振動防止部材は、前記蛍光管支持体毎に蛍光管長手方向の配置位置が異なるように設けられていることを特徴とする請求項１乃至４のうちの何れか一項に記載の直下式バックライト装置。
【請求項６】
前記蛍光管支持部材に支持される蛍光管に設けられる振動防止部材は、並設される蛍光管の配列方向で隣り合う蛍光管支持部材に支持される蛍光管に設けられる振動防止部材の配置位置と蛍光管長手方向で同じ配置位置に設けられることを特徴とする請求項５に記載の直下式バックライト装置。
【請求項７】
前記蛍光管支持体と該蛍光管支持体に支持される蛍光管に設けられる振動防止部材は、並設される蛍光管の配列方向で隣り合う蛍光管支持体と該蛍光管支持体に支持される蛍光管に設けられる振動防止部材に対して千鳥配列で配置されることを特徴とする請求項５または６に記載の直下式バックライト装置。
【請求項８】
前記蛍光管支持体と該蛍光管支持体に支持される蛍光管に設けられる振動防止部材の千鳥配列は、並設される蛍光管の配列方向で隣り合う蛍光管支持体と該蛍光管支持体に支持される蛍光管に設けられる振動防止部材とが交互に配置されることを特徴とする請求項７に記載の直下式バックライト装置。
【請求項９】
前記直下式バックライト装置は、蛍光管の両端部に互いに異なる位相の電圧を供給して該蛍光管を発光させるインバータ装置を備えることを特徴とする請求項１乃至８のうちの何れか一項に記載の直下式バックライト装置。
【請求項１０】
液晶パネルの背面側に複数本の蛍光管が配置され、所定周波数の調光信号により前記蛍光管の輝度を調整するようにした直下式バックライト装置直下式バックライト装置を用いた液晶表示装置であって、
前記直下式バックライト装置として、請求項１乃至９のうちの何れか一項に記載のバックライト装置を備えたことを特徴とする液晶表示装置。
【発明の詳細な説明】
【技術分野】
【０００１】
本発明は、直下式バックライト装置およびこの直下式バックライト装置を用いた液晶表示装置に係り、特に、液晶パネルの背面側より複数本の蛍光管により照射するようにした直下式バックライト装置およびこの直下式バックライト装置を用いた液晶表示装置に関する。
【背景技術】
【０００２】
従来、液晶表示装置においては、液晶パネルの背面側より複数本の蛍光管により照射するようにした直下式バックライト装置が多く採用されている。
【０００３】
直下式バックライト装置は、一般に、液晶パネルの背面に光を拡散させる拡散板を配置し、その後方に複数本の蛍光管を平行に並設した反射板を配置するように構成されている。
【０００４】
前記複数本の蛍光管は、その両端部が蛍光管支持体により反射板に取付けられ、その両端部の電極から延設されたリード線は、蛍光管駆動電源回路に接続されている。
【０００５】
前記蛍光管駆動電源回路は、液晶表示装置の状態に応じて制御され、蛍光管点灯時には、蛍光管からの発光光を直接光と反射板による反射光として拡散板に到達し、拡散板により拡散されて、液晶パネルの背面を均一に照射することで、輝度ムラのない映像を表示するようにされている。
【０００６】
従来の直下式バックライト装置においては、通常、蛍光管の中間部付近と反射板又はシールドとの間で該蛍光管を保持するためのランプ支持装置（ランプクリップ）により液晶パネルの裏側に複数の蛍光管を支持するようにされている。
従来のランプクリップ１０は、例えば、図６に示すように、蛍光管９を確実に保持するために、略円筒状の蛍光管９の外周に沿った方向（動径方向）をほぼ覆うように収納できる収納部１２が形成され、この収納部１２に蛍光管９の発光する中間部が収納保持されることにより、該蛍光管９の配置位置を固定するようになっている。
従って、液晶表示装置の衝撃時や振動時においても蛍光管９の位置がズレないようにすることが可能になる（特許文献１を参照）。
【０００７】
具体的には、従来の直下式バックライト装置１０２は、図７に示すように、主に、液晶パネル３の背面に反射偏光板４、プリズムシート５、拡散シート６、拡散板７を順次配置し、さらに後方に筐体８に一体的に構成された複数本の蛍光管９と、インバータ装置２０とにより構成されている。
【０００８】
筐体８には、主に、同じ円筒形状を有する複数本の蛍光管９と、該蛍光管９を支持する蛍光管支持体としてのランプクリップ１０と、蛍光管９からの光を反射する反射シート８ａ等が一体的に設けられている。
【０００９】
ランプクリップ１０は、図７、図８（ａ），（ｂ）に示すように、筐体８側に固定されるベース部１１と、ベース部１１上に蛍光管９をその長手方向に対しほぼ垂直な断面方向から蛍光管９を２本収納保持するための収納部１２と、筐体（もしくはシールドシャーシ）８に対してベース部１１を位置決め固定するための係合部１４と、蛍光管９と拡散板７との距離を規制するための拡散板支持用突起部１６を有している。
【００１０】
収納部１２の蛍光管９と対応する部位は、ほぼ蛍光管９の断面の円形状の少なくとも一部とほぼ勘合するように形成されている。これによって、平行配列された互いの蛍光管の位置関係を固定することができ、例えば振動環境下や衝撃時においても、この蛍光管９同士の位置のズレなどによる輝度むら等を抑制することができる。
【００１１】
拡散板支持用突起部１６は、蛍光管９と拡散板７の距離が必要以上に近づくこと、あるいは、拡散板７のランプ方向への反り現象に等によって生じ易い拡散板７上に映るランプ像の輝度むら等を防止している。
【００１２】
筐体８には、係合部１４と対応する位置に取付け穴（図示省略）が形成され、これによって筐体８上におけるランプクリップ１０の位置が固定され、蛍光管９の位置も固定される構成が成立する。
【００１３】
また、このランプクリップ１０と筐体８との間には、予めこの筐体８と同じ所定位置に形成された穴（図示省略）を通して反射シート８ａが配置される。この反射シート８ａの素材としては、主に工業性プラスチック（例えば、ポリカーボネート等のプラスチック素材）によって構成されている。従って、その材料の性質上、液晶表示装置全体を立てかけた時に、反射シート８ａ自体で曲がらない状態を維持するのは困難であるため、筐体８とともに液晶表示装置１０１を支持するという上記構成は適していると言える。
【特許文献１】特許第３６５３２７２号公報
【発明の開示】
【発明が解決しようとする課題】
【００１４】
しかしながら、このようなプラスチック製の素材で蛍光管を保持するだけでは、高圧高周波電圧が印加された蛍光管と近接導体（シールド等）の間に浮遊容量が発生することまでは抑制することができないという問題があった。
【００１５】
さらに、大画面の液晶表示装置に対応するための蛍光管の長尺化に伴い、その浮遊容量は、蛍光管印加電圧の高電圧化によって大きくなる傾向にある。これにより、浮遊容量は、スピーカーと同じような役割を果たし、空気を媒体として可聴音域（数十〜数百Ｈｚ程度）の調光デューティー信号（蛍光管の輝度を調整するための制御信号）に同調したノイズ音（音声信号）を引き起こしてしまうという問題があった。
【００１６】
本発明は、上記従来の問題点を鑑みてなされたものであって、蛍光管と近接導体との間に発生する浮遊容量と調光信号（調光デューティー信号）とによるノイズ音を抑制する直下式バックライト装置およびこの直下式バックライト装置を用いた液晶表示装置を提供することを目的とするものである。
【課題を解決するための手段】
【００１７】
上述した課題を解決するための本発明に係る画像処理装置の各構成は、次の通りである。
【００１８】
請求項１に記載した発明は、液晶パネルの背面側に複数本の蛍光管が配置され、所定周波数の調光信号により前記蛍光管の輝度を調整するようにした直下式バックライト装置において、前記蛍光管と液晶パネルの背面側との間に、該蛍光管と液晶パネルの背面側との間に生じる振動を防止する振動防止部材を設けたことを特徴とするものである。
【００１９】
請求項２に記載した発明は、請求項１に記載した構成に加えて、前記振動防止部材を、前記蛍光管の外周の一部と液晶パネルの背面側とに弾性的に当接する弾性素材で形成することを特徴とするものである。
【００２０】
請求項３に記載した発明は、請求項１または２に記載した構成に加えて、前記振動防止部材を、透明な素材で構成することを特徴とするものである。
【００２１】
請求項４に記載した発明は、請求項１乃至３のうちの何れか一項に記載した構成に加えて、前記振動防止部材を、並設された蛍光管の配列方向で隣り合うそれぞれの蛍光管と液晶パネルの背面側との間に設けられた振動防止部材同士が、蛍光管長手方向の配置位置が異なるように設けることを特徴とするものである。
【００２２】
請求項５に記載した直下式バックライト装置は、請求項１乃至４のうちの何れか一項に記載した構成に加えて、前記直下式バックライト装置の構成として、複数本の蛍光管を支持する蛍光管支持体を備え、前記蛍光管支持体によって液晶パネルの背面側に複数本の蛍光管を配置するように構成され、前記蛍光管支持体を、並設される蛍光管の配列方向で隣り合う蛍光管支持体同士が、蛍光管長手方向の配置位置が異なるように設け、前記蛍光管支持体に支持される蛍光管に設けられる振動防止部材を、前記蛍光管支持体毎に蛍光管長手方向の配置位置が異なるように設けることを特徴とするものである。
【００２３】
請求項６に記載した発明は、請求項５に記載した構成に加えて、前記蛍光管支持部材に支持される蛍光管に設けられる振動防止部材を、並設される蛍光管の配列方向で隣り合う蛍光管支持部材に支持される蛍光管に設けられる振動防止部材の配置位置と蛍光管長手方向で同じ配置位置に設けることを特徴とするものである。
【００２４】
請求項７に記載した発明は、請求項５または６に記載した構成に加えて、前記蛍光管支持体と該蛍光管支持体に支持される蛍光管に設けられる振動防止部材を、並設される蛍光管の配列方向で隣り合う蛍光管支持体と該蛍光管支持体に支持される蛍光管に設けられる振動防止部材に対して千鳥配列で配置することを特徴とするものである。
【００２５】
請求項８に記載した発明は、請求項７に記載した構成に加えて、前記蛍光管支持体と該蛍光管支持体に支持される蛍光管に設けられる振動防止部材の千鳥配列を、並設される蛍光管の配列方向で隣り合う蛍光管支持体と該蛍光管支持体に支持される蛍光管に設けられる振動防止部材とが交互に配置することを特徴とするものである。
【００２６】
請求項９に記載した発明は、請求項１乃至８のうちの何れか一項に記載した構成に加えて、前記直下式バックライト装置の構成として、蛍光管の両端部に互いに異なる位相の電圧を供給して該蛍光管を発光させるインバータ装置を備えることを特徴とするものである。
【００２７】
請求項１０に記載した発明は、液晶パネルの背面側に複数本の蛍光管が配置され、所定周波数の調光信号により前記蛍光管の輝度を調整するようにした直下式バックライト装置直下式バックライト装置を用いた液晶表示装置であって、前記直下式バックライト装置として、請求項１乃至９のうちの何れか一項に記載の直下式バックライト装置を備えたことを特徴とするものである。
【発明の効果】
【００２８】
請求項１〜９に記載した発明によれば、液晶パネルの背面側に複数本の蛍光管が配置され、所定周波数の調光信号により前記蛍光管の輝度を調整するようにした直下式バックライト装置において、前記蛍光管と液晶パネルの背面側との間に、該蛍光管と液晶パネルの背面側との間に生じる振動を防止する振動防止部材を設けたことで、蛍光管と近接導体との間に発生する浮遊容量が伝播された調光信号を増幅して音声信号として発生してしまうノイズ音を抑制することができるという優れた効果を奏し得る。
【００２９】
ここで、ノイズ音とは、バックライト用のインバータ回路から蛍光管を経由してバックライト装置を構成する反射板または筐体（シャーシ）へ伝達される調光信号に起因したノイズ音を含むものとする。
【００３０】
また、請求項１〜９に記載の発明で得られる上記共通の効果に加え、各請求項に記載の発明によれば次の効果を得ることができる。
【００３１】
詳しくは、請求項２に記載した発明によれば、前記振動防止部材を、前記蛍光管の外周の一部と液晶パネルの背面側とに弾性的に当接する弾性素材で形成することで、その弾性機能によって蛍光管や液晶パネルの背面側に生じる振動を緩衝してノイズ音の発生を抑制することができる。
【００３２】
請求項３に記載した発明によれば、前記振動防止部材を、透明な素材で構成することで、液晶パネルの画面上から該振動防止部材の存在が視認され難くできる。
【００３３】
請求項４に記載した発明によれば、並設された蛍光管の配列方向で隣り合うそれぞれの蛍光管と液晶パネルの背面側との間に設けられた振動防止部材同士を、蛍光管長手方向の配置位置が異なるように設けることで、振動防止部材を集中することなく分散させるができるので、液晶パネルの画面上から該振動防止部材の存在が視認され難くできる。
【００３４】
請求項５に記載した発明によれば、前記直下式バックライト装置の構成として、複数本の蛍光管を支持する蛍光管支持体を備え、前記蛍光管支持体によって液晶パネルの背面側に複数本の蛍光管を配置するように構成し、前記蛍光管支持体を、並設される蛍光管の配列方向で隣り合う蛍光管支持体同士が、蛍光管長手方向の配置位置が異なるように設け、前記蛍光管支持体に支持される蛍光管に設けられる振動防止部材を、前記蛍光管支持体毎に蛍光管長手方向の配置位置が異なるように設けることで、前記蛍光管支持体や振動防止部材が干渉することなく取付けることができるので、平行配列された互いの蛍光管の固定作用を規制することなく、確実に各蛍光管の振動を防止することできる。
【００３５】
請求項６に記載した発明によれば、前記蛍光管支持部材に支持される蛍光管に設けられる振動防止部材を、並設される蛍光管の配列方向で隣り合う蛍光管支持部材に支持される蛍光管に設けられる振動防止部材の配置位置と蛍光管長手方向で同じ配置位置に設けることで、平行配列された互いの蛍光管の固定作用を規制することなく、また、蛍光管支持体及び振動防止部材のそれぞれに対し必要以上の取付け面積を取ることなく省スペースで取付けることができる。
【００３６】
請求項７に記載した発明によれば、前記蛍光管支持体と該蛍光管支持体に支持される蛍光管に設けられる振動防止部材を、並設される蛍光管の配列方向で隣り合う蛍光管支持体と該蛍光管支持体に支持される蛍光管に設けられる振動防止部材に対して千鳥配列で配置することで、平行配列された互いの蛍光管の固定作用を規制することなく、また、蛍光管支持体及び振動防止部材のそれぞれに対し必要以上の面積を取ることなく省スペースで取付けることができ、其々の部品の配置による輝度ムラを抑制することが可能になる。
【００３７】
請求項８に記載した発明によれば、前記蛍光管支持体と該蛍光管支持体に支持される蛍光管に設けられる振動防止部材の千鳥配列を、並設される蛍光管の配列方向で隣り合う蛍光管支持体と該蛍光管支持体に支持される蛍光管に設けられる振動防止部材とが交互に配置することで、平行配列された互いの蛍光管の固定作用を規制することなく、また、蛍光管支持体及び振動防止部材のそれぞれに対し必要以上の面積を取ることなく省スペースで取付けることができ、其々の部品の配置による輝度ムラを抑制することが可能になる。
【００３８】
請求項９に記載した発明によれば、前記直下式バックライト装置の構成として、蛍光管の両端部に互いに異なる位相の電圧を供給して該蛍光管を発光させるインバータ装置を備えることで、より長い蛍光管に十分な放電電圧を供給する構成となり、浮遊容量が大きくなることから、本発明によるその抑制効果はより大なものとなる。
【００３９】
請求項１０に記載した発明によれば、液晶パネルの背面側に複数本の蛍光管が配置され、所定周波数の調光信号により前記蛍光管の輝度を調整するようにした直下式バックライト装置直下式バックライト装置を用いた液晶表示装置であって、前記直下式バックライト装置として、請求項１乃至９のうちの何れか一項に記載の直下式バックライトを備えたことで、蛍光管と近接導体との間に発生する浮遊容量が伝播された調光信号を増幅して音声信号として発生してしまうノイズ音を抑制することができる液晶表示装置を実現できるという優れた効果を奏し得る。
【発明を実施するための最良の形態】
【００４０】
以下、本発明の実施の形態について図面を参照して詳細に説明する。
図１〜４は本発明を実施する形態の一例であって、図１は本発明の一実施形態に係る直下式バックライト装置を適応した液晶表示装置の構成を示す平面図、図２は前記液晶表示装置の構成を示す側面断面図、図３は前記直下式バックライト装置の電気系構成を示す概略図、図４は前記直下式バックライト装置を構成する振動防止部材と蛍光管支持体の構成の一例を示す説明図である。
尚、本実施形態において、前述した従来の直下式バックライト装置の構成と同じ構成を有するものは、同一の符号を付することで説明を省略する。
【００４１】
本実施形態は、図１に示すように、複数本の蛍光管９を位置決め支持する蛍光管支持体としてのランプクリップ１０を備え、該ランプクリップ１０によって液晶パネル３の背面側に複数本の蛍光管９を支持するとともに、蛍光管９と液晶パネル３の背面側との間に振動防止部材３０を設けて該蛍光管９と液晶パネル３の背面側との間に生じる振動を防止するようにした直下式バックライト装置２を採用した液晶表示装置１である。
【００４２】
まず、本実施形態に係る直下式バックライト装置２について概要を説明する。
直下式バックライト装置２は、図２に示すように、主に、液晶パネル３の背面に反射偏光板４、プリズムシート５、拡散シート６、拡散板７を順次配置し、さらに後方に筐体（もしくはシールドシャーシ）８に一体的に構成された複数本の蛍光管９と、インバータ装置２０とにより構成されている。
【００４３】
筐体８には、その内側に同じ円筒形状を有する複数本の蛍光管９がランプクリップ１０により保持されるとともに、該蛍光管９からの光を反射する反射シート８ａが蛍光管９と筐体８との間に一体的に設けられている。
【００４４】
また、筐体８には、ランプクリップ１０に設けられた係合部（図示省略）と対応する位置に取付け穴（図示省略）が形成され、これによって筐体８上におけるランプクリップ１０の位置が固定され、蛍光管９の位置も固定される構成が成立する。
【００４５】
反射シート８ａには、筐体８の取付け穴に対応した所定位置に取付け穴（図示省略）が形成され、これにより、反射シート８ａが筐体８上に位置決めされる。また、反射シート８ａには、ランプクリップ１０に隣接して振動防止部材３０が取付けられている。
【００４６】
蛍光管９は、図３に示すように、その一端部の電極９ａがリード線９１に接続され、他端部の電極９ｂがアース線９２に接続されている。リード線９１は、インバータ装置２０のインバータ回路２２に接続されている。
【００４７】
インバータ装置２０は、図２、図４に示すように、主に、インバータトランス２１、インバータ回路２２を備え、マイクロコンピュータ２３等の制御装置から出力される調光信号を受けてインバータ回路から蛍光管９に交流の高電圧をかけることで該蛍光管９を発光するようになっている。
【００４８】
尚、ここでは、インバータ装置２０により蛍光管９の一端側より交流の高電圧をかけるようにしているが、本発明は、電気系構成を限定するものではなく、例えば、図５に示すように、蛍光管９の両端側より互いに異なる位相の電圧を供給して該蛍光管９を発光させるようにインバータ装置２０を設けるようにしたものであっても良い。
【００４９】
ランプクリップ１０は、図６、図８（ａ），（ｂ）に示すように、筐体８側に固定されるベース部１１と、該ベース部１１上に蛍光管９をその長手方向に対しほぼ垂直な断面方向から収納保持するための収納部１２と、筐体８に対してベース部１１を位置決め固定するための係合部１４，と、蛍光管９と拡散板７との距離を規制するための拡散板支持用突起部１６を有している。
【００５０】
ベース部１１は、平面視で横長の矩形状を呈し、拡散板７側に向かう上面１１ａの略中央部には、円錐状に形成された拡散板支持用突起部１６が拡散板７側（図中上方）に向かい略垂直に突設されており、該拡散板支持用突起部１６を挟んで略等間隔に収納部１２，１２が並設されている。
【００５１】
ベース部１１の反射シート８ａに向かう裏面１１ｂには、上面１１ａに設けられた収納部１２に対応する位置に係合部１４が略垂直に反射シート８ａ及び筐体８を貫通する長さで突設されている。
【００５２】
係合部１４は、ベース部１１から突出形成された軸部１４ａと、該軸部１４ａの先端部に形成されて筐体８から脱落防止のためのストッパ部１４ｂとにより構成されている。ストッパ部１４ｂは軸部１４ａよりも大径に形成されている。
【００５３】
拡散板支持用突起部１６は、ランプクリップ１０を筐体８に装着した状態で、その先端部が拡散板７に近接配置されるようになっている。これにより、蛍光管９と拡散板７の距離が必要以上に近づくこと、あるいは、拡散板７の蛍光管９方向への反り現象に等によって生じ易い拡散板７上に映るランプ像の輝度むら等を防止している。
【００５４】
収納部１２は、図中上方より蛍光管９を装着可能に上部（反ベース部側）に開口部１２ａが形成された断面円弧形状（Ｃ字形状）に形成され、その開口部側端部１２ｂ，１２ｂの内側部が、蛍光管９の略円柱状の動径方向の外周に沿った外周の一部と当接するとともに、該蛍光管９の動径方向の外周に沿った外周部の一部を包囲するように構成されている。この開口部１２ａは、蛍光管９の外径よりも狭い幅で開口されている。
【００５５】
また、収納部１２は、弾性変形が可能な部材、例えば、プラスチック等の合成樹脂製で形成され、蛍光管９を開口部１２ａより収納部１２内に装着する時には、開口部１２ａが蛍光管９を嵌装できるように拡開可能であり、蛍光管９を収納した状態では開口部１２ａが元に戻るようにされている。また、開口部１２ａが元に戻る復元力で開口部側端部１２ｂ，１２ｂにより蛍光管９を収納部１２内側に向かい押えるようになっている。
【００５６】
次に、本実施形態に係る振動防止部材３０について図面を参照して詳細に説明する。
振動防止部材３０は、図２、図４に示すように、ランプクリップ１０に隣接して配置され、蛍光管９の外周の一部を包囲するとともに該蛍光管９を支持しながら、一端側が反射シート８ａに取付けられ、蛍光管９と反射シート８ａとの間に介在されて該蛍光管９と反射シート８ａとの間に生じる振動を防止するものである。
【００５７】
振動防止部材３０は、透明の合成ゴム等の弾性素材で形成され、蛍光管９を支持するための支持部３１と反射シート８ａに取付けられる取付部３２とを備え、蛍光管９の外周の一部と反射シート８ａとに弾性的に当接するようになっている。
【００５８】
支持部３１には、蛍光管９を包囲支持するために、該蛍光管９の外径よりも小径の開口部３１ａが形成され、さらに、外周側よりその開口部３１ａ内部と外部とを連通する切欠部３１ｂが形成されている。
【００５９】
この開口部３１ａは、蛍光管９を支持する位置がランプクリップ１０により蛍光管９を反射シート８ａから離間して支持する位置と同一の位置となるように、ランプクリップ１０の収納部１２の高さと同じ高さの位置に形成されている。
【００６０】
振動防止部材３０の配置位置は、図１に示すように、同一のランプクリップ１０に支持された蛍光管９に対しては、蛍光管９の支持状態が同じとなるように、隣り合う振動防止部材３０，３０が同一のランプクリップ１０から同じ距離だけ離間した位置に配置されている。
【００６１】
一方、当該ランプクリップ１０と隣り合うランプクリップ１０に支持される蛍光管９を支持する振動防止部材３０の配置位置は、前述した振動防止部材３０の配置位置に対して蛍光管長手方向で配置位置が異なるように設けられている。
【００６２】
本実施形態においては、複数のランプクリップ１０が並設される蛍光管９の配列方向でいわゆる千鳥配列で配置されているので、振動防止部材３０は、前記ランプクリップ１０の配列と逆の千鳥配列で配置されている。
【００６３】
尚、本実施形態におけるランプクリップ１０と振動防止部材３０との配列に限定されるものではなく、例えば、ランプクリップ１０と振動防止部材３０とを同じ向きの千鳥配列で配置するものであっても良い。
【００６４】
以上のように構成したので、本実施形態の直下式バックライト装置２によれば、蛍光管９と反射シート８ａとの間に振動防止部材３０を配置して蛍光管９を弾性的に支持するようにしたので、蛍光管９と反射シート８ａとの間に発生する浮遊容量が伝播された調光信号を増幅して音声信号として発生してしまうノイズ音を抑制することができる。
【００６５】
また、本実施形態によれば、ランプクリップ１０により蛍光管９を支持して、このランプクリップ１０を並設される蛍光管９の配列方向で隣り合うランプクリップ１０同士を、蛍光管長手方向の配置位置が異なる千鳥配列で設け、振動防止部材３０を、ランプクリップ１０毎に蛍光管長手方向の配置位置が異なるように設けたことで、ランプクリップ１０や振動防止部材３０が干渉することなく取付けることができる。また、平行配列された互いの蛍光管９の固定作用を規制することなく、確実に各蛍光管９の振動を防止することできる。
【００６６】
さらに、本実施形態によれば、振動防止部材３０の蛍光管９の支持部３１に、開口部３１ａの外周に切欠部３１ｂを形成したので、蛍光管９の組付けやメンテナンス（交換）時の取り外しを容易にでき、作業性の向上を図ることができる。
【００６７】
尚、本実施形態では、振動防止部材３０を透明の合成ゴムで形成しているが、本発明に係る振動防止部材は弾性機能を有する弾性素材であれば良く、例えば、振動を吸収するように弾性変形が可能な部材、例えば、弾性機能を有するプラスチック等の合成樹脂製で形成されたものであっても良い。
【図面の簡単な説明】
【００６８】
【図１】本発明の一実施形態に係る蛍光管支持体が採用された直下式バックライト装置を適応した液晶表示装置の構成を示す平面図である。
【図２】前記液晶表示装置の構成を示す側面断面図である。
【図３】前記直下式バックライト装置の電気系構成を示す概略図である。
【図４】前記直下式バックライト装置を構成する振動防止部材と蛍光管支持体の構成の一例を示す説明図である。
【図５】前記直下式バックライト装置の電気系構成のその他の例を示す概略図である。
【図６】従来の直下式バックライトを構成するランプクリップの構成を示す斜視図である。
【図７】従来の液晶表示装置の構成を示す側面断面図である。
【図８】（ａ）は前記ランプクリップの正面図、（ｂ）は前記ランプクリップの平面図である。
【符号の説明】
【００６９】
１  液晶表示装置
２  直下式バックライト装置
３  液晶パネル
４  反射偏光板
５  プリズムシート
６  拡散シート
７  拡散板
８  筐体
８ａ  反射シート
９  蛍光管
１０  ランプクリップ
２０  インバータ装置
３０  振動防止部材
３１  支持部
３１ａ  開口部
３１ｂ  切欠部
３２  取付部
【図１】
2007034120.tif 000003
【図２】
2007034120.tif 000004
【図３】
2007034120.tif 000005
【図４】
2007034120.tif 000006
【図５】
2007034120.tif 000007
【図６】
2007034120.tif 000008
【図７】
2007034120.tif 000009
【図８】
2007034120.tif 000010